(57)【要約】【課題】車両に設置される車両用シートにおいて、送風される個所を着座者の任意で変更することができて、着座者にとって快適なものとすることにある。【解決手段】アームレスト２０は、着座者に向けて送風する送風装置２２が内蔵され、肘掛け状態となる肘掛け位置のほか、格納状態となる格納位置を有して、この間を移動させることができる。シートバック１２は、吸入口３１および吐出口３２を具備するダクト３０が内蔵され、前面にはダクト３０の吐出口３２が接続された噴出し口１２ｅが設けられている。ここで、アームレスト２０を格納位置に位置させた場合には、アームレスト２０の排気用開口部２１ｂが、ダクト３０の吸入口３１に接続され、噴出し口１２ｅから着座者の背面に向かって風を送ることとなる。【選択図】図２
2010006174.tif 000002
【特許請求の範囲】
【請求項１】
車両に設置される車両用シートであって、
着座者の肘掛けとなるアームレストを備え、
前記アームレストは、着座者に向けて送風する送風装置が内蔵され、且つ配設位置状態を変えられるように可動に構成されており、
前記アームレストの配設位置状態を変えることに伴って、前記送風装置からの送風を排する送風口の位置状態も変える構成とされていることを特徴とする車両用シート。
【請求項２】
請求項１に記載の車両用シートにおいて、
前記アームレストは、肘掛け状態となる肘掛け位置のほか、格納状態となる格納位置を有し、
着座者の背もたれとなり、且つ吸入口および吐出口を具備するダクトを内蔵するシートバックを備え、
前記シートバックの前面には、前記ダクトの前記吐出口が接続された噴出し口が設けられ、
前記アームレストを前記格納位置に位置させた場合には、前記アームレストに設けられた前記送風口が、前記ダクトの前記吸入口に接続されることを特徴とする車両用シート。
【請求項３】
請求項１または請求項２に記載の車両用シートにおいて、
前記アームレストには、前記送風装置にて吸気されるように外部と連通させる吸気用開口部と、前記送風装置にて排気されるように外部と連通させる排気用開口部とが設けられ、
前記アームレストの前記吸気用開口部と前記排気用開口部との間には、前記送風装置にて吸気された空気と熱交換を行う熱交換器が設けられていることを特徴とする車両用シート。
【請求項４】
請求項３に記載の車両用シートにおいて、
前記熱交換器は、前記送風装置にて吸気された空気を着座者に噴き当てる空気として熱交換する着座者側熱交換部と、前記着座者側熱交換部に相関して発生する廃棄熱を前記送風装置にて吸気された空気と熱交換させる廃棄側熱交換部とを具備する熱電素子で構成され、
前記アームレストの前記吸気用開口部と前記排気用開口部との間には、前記送風装置にて吸気された空気を前記着座者側熱交換部と熱交換させて前記排気用開口部に導く第１導風路と、前記送風装置にて吸気された空気を前記廃棄側熱交換部と熱交換させて前記排気用開口部とは別の廃棄熱用開口部に導く第２導風路とが設けられていることを特徴とする車両用シート。
【請求項５】
請求項４に記載の車両用シートにおいて、
前記熱電素子への印加極性および印加電圧を変化させる極性調節手段が設けられていることを特徴とする車両用シート。
【請求項６】
請求項３に記載の車両用シートにおいて、
前記熱交換器は、電気式加熱器で構成されていることを特徴とする車両用シート。
【発明の詳細な説明】
【技術分野】
【０００１】
本発明は、車両に設置される車両用シートに関する。
【背景技術】
【０００２】
従来、椅子や座椅子のような、人が着座するシートにあっては、着座するシートクッションの側方に、肘掛けとなるアームレストが設けられたものが知られている。このアームレストが設けられたシートには、アームレストから着座者に向けて送風するように構成されたものが知られている（特許文献１、特許文献２を参照）。このようにアームレストから着座者に向けて送風するように構成されていると、着座者は冷涼感を味わうことができる。
【特許文献１】特開２００６−１５０２３
【特許文献２】特開昭６２−４４２１０
【発明の開示】
【発明が解決しようとする課題】
【０００３】
一方、着座者にとって送風されたい個所は、暑さの感じ方等に応じて、さまざまである。つまり、腿に向けて風を送るようにしたかったり、腹や首周りに向けて風を送るようにしたかったりする。ところが、上記開示されるシートにあっては、一定個所に風を送るようにしているので、送風される個所を、暑さの感じ方等に応じて着座者の任意で変更することができない。
【０００４】
本発明は、このような事情に鑑みなされたものであって、本発明が解決しようとする課題は、車両に設置される車両用シートにおいて、送風される個所を着座者の任意で変更することができて、着座者にとって快適なものとすることにある。
【課題を解決するための手段】
【０００５】
上記課題を解決するため本発明に係る車両用シートは、次の手段を採用する。
すなわち、本発明の第１の発明に係る車両用シートは、車両に設置される車両用シートであって、着座者の肘掛けとなるアームレストを備え、前記アームレストは、着座者に向けて送風する送風装置が内蔵され、且つ配設位置状態を変えられるように可動に構成されており、前記アームレストの配設位置状態を変えることに伴って、前記送風装置からの送風を排する送風口の位置状態も変える構成とされていることを特徴とする。
【０００６】
この車両用シートによれば、着座者の肘掛けとなるアームレストを備え、アームレストは、着座者に向けて送風する送風装置が内蔵され、且つ配設位置状態を変えられるように可動に構成されており、アームレストの配設位置状態を変えることに伴って、送風装置からの送風を排する送風口の位置状態も変える構成とされているので、着座者は、送風装置による送風により冷涼感を味わうことができる上、アームレストを動かすことにより送風口の位置状態も変えることができる。つまり、着座者は、送風される個所を、着座者の任意で変更することができる。
【０００７】
これによって、着座者の暑さの感じ方等に応じて送風される個所を変更したい場合であっても、着座者の意思で適宜変更することができて、着座者にとって快適なものとすることができる。また、このように、アームレストに着座者に向けて送風する送風装置が内蔵されていると、車両内の空気の循環が良くなって車両内の空調効果を高めることができる。したがって、既設のエアコンの容量を小さくすることができて、車両の軽量化や車両内居住性の向上を図ることもできる。
【０００８】
第２の発明に係る車両用シートは、上記第１の発明に係る車両用シートにおいて、前記アームレストは、肘掛け状態となる肘掛け位置のほか、格納状態となる格納位置を有し、着座者の背もたれとなり、且つ吸入口および吐出口を具備するダクトを内蔵するシートバックを備え、前記シートバックの前面には、前記ダクトの前記吐出口が接続された噴出し口が設けられ、前記アームレストを前記格納位置に位置させた場合には、前記アームレストに設けられた前記送風口が、前記ダクトの前記吸入口に接続されることを特徴とする。
なお、アームレストの肘掛け状態とは、着座者がアームレストに肘や腕をかけて休める肘掛けとして機能している状態を意味している。これに対し、アームレストの格納状態とは、アームレストが、このような肘掛けとして機能せず、邪魔とならない状態となっていることを意味している。
【０００９】
この車両用シートによれば、アームレストは、肘掛け状態となる肘掛け位置のほか、格納状態となる格納位置を有し、アームレストを格納位置に位置させた場合には、アームレストに設けられた送風口は、シートバックに内蔵されたダクトの吸入口に接続され、送風装置にて送られる風を、吸入口を介してダクト内に送って、吐出口を介してシートバックの前面に設けられた噴出し口から噴き出させることができるので、着座者は、胴体前面側あるいは胴体背面側の何れかの方向から送風されるかを選択することができる。
【００１０】
つまり、着座者は、アームレストを、肘掛けとして肘掛け位置に位置させた場合には、上記送風装置による風を、肘掛け位置から着座者の胴体前面側に送ることができ、着座者は、胴体前面側を冷却することにより冷涼感を味わうことができる。
さらに、着座者は、アームレストを、格納するように格納位置に位置させた場合には、上記送風装置による風を、ダクトを介してシートバックの噴出し口から着座者の胴体背面側に送ることができ、着座者は、胴体背面側を冷却することにより冷涼感を味わうことができる。
【００１１】
これによって、アームレストを、肘掛け位置あるいは格納位置に位置させるように移動させるだけで、送風して冷却する個所を、着座者の前面あるいは背面の何れかに切替えることができて、着座者にとって快適なものとすることができる。
【００１２】
第３の発明に係る車両用シートは、上記第１の発明または上記第２の発明に係る車両用シートにおいて、前記アームレストには、前記送風装置にて吸気されるように外部と連通させる吸気用開口部と、前記送風装置にて排気されるように外部と連通させる排気用開口部とが設けられ、前記アームレストの前記吸気用開口部と前記排気用開口部との間には、前記送風装置にて吸気された空気と熱交換を行う熱交換器が設けられていることを特徴とする。
【００１３】
この車両用シートによれば、アームレストには、送風装置にて吸気されるように外部と連通させる吸気用開口部と、送風装置にて排気されるように外部と連通させる排気用開口部とが設けられ、アームレストの吸気用開口部と排気用開口部との間には、送風装置にて吸気された空気と熱交換を行う熱交換器が設けられているので、送風装置にて送風される空気を所望の温度とすることができる。
これによって、送風される空気の温度を快適な温度に設定することができ、快適な風を着座者に送ることができる。
【００１４】
第４の発明に係る車両用シートは、上記第３の発明に係る車両用シートにおいて、前記熱交換器は、前記送風装置にて吸気された空気を着座者に噴き当てる空気として熱交換する着座者側熱交換部と、前記着座者側熱交換部に相関して発生する廃棄熱を前記送風装置にて吸気された空気と熱交換させる廃棄側熱交換部とを具備する熱電素子で構成され、前記アームレストの前記吸気用開口部と前記排気用開口部との間には、前記送風装置にて吸気された空気を前記着座者側熱交換部と熱交換させて前記排気用開口部に導く第１導風路と、前記送風装置にて吸気された空気を前記廃棄側熱交換部と熱交換させて前記排気用開口部とは別の廃棄熱用開口部に導く第２導風路とが設けられていることを特徴とする。
【００１５】
この車両用シートによれば、熱交換器は、着座者に噴き当てる空気として熱交換する着座者側熱交換部と、着座者側熱交換部に相関して発生する廃棄熱を熱交換させる廃棄側熱交換部とを具備する熱電素子で構成され、アームレストの吸気用開口部と排気用開口部との間には、送風装置にて吸気された空気を着座者側熱交換部と熱交換させて排気用開口部に導く第１導風路と、送風装置にて吸気された空気を廃棄側熱交換部と熱交換させて排気用開口部とは別の廃棄熱用開口部に導く第２導風路とが設けられているので、熱電素子にて、送風される空気の温度を所望の温度とすることができ、この所望の温度とした空気のみを第１導風路により着座者に向けた排気用開口部に導くことができる。
これによって、送風される空気の温度を快適な温度に設定することができ、快適な風を着座者に送ることができる。
【００１６】
第５の発明に係る車両用シートは、上記第４の発明に係る車両用シートにおいて、前記熱電素子への印加極性および印加電圧を変化させる極性調節手段が設けられていることを特徴とする。
この車両用シートによれば、熱電素子への印加極性および印加電圧を変化させる極性調節手段が設けられているので、着座者は、この極性調節手段を操作することにより、熱電素子の印加極性および印加電圧を変化させ、送風される空気の温度を所望の温度とすることができる。具体的には、着座者は、極性調節手段にて熱電素子の印加極性を変化させることにより、冷風あるいは暖風を選択することができ、さらに、極性調節手段にて熱電素子の印加電圧を変化させることにより、熱電素子の冷却強度あるいは加熱強度を変化させて、冷風あるいは暖風の温度を所望温度に設定することができる。
これによって、四季を通じて送風される空気の温度を快適な温度に設定することができ、快適な風を着座者に送ることができる。
【００１７】
第６の発明に係る車両用シートは、上記第３の発明に係る車両用シートにおいて、前記熱交換器は、電気式加熱器で構成されていることを特徴とする。
この車両用シートによれば、熱交換器は、電気式加熱器で構成されているので、電気式加熱器にて送風の温度を暖かくすることができ、冬季において、着座者にとって快適なものとすることができる。
【発明の効果】
【００１８】
本発明の第１の発明に係る車両用シートによれば、着座者の暑さの感じ方等に応じて送風される個所を変更したい場合であっても、着座者の意思で適宜変更することができて、着座者にとって快適なものとすることができる。また、このように、アームレストに着座者に向けて送風する送風装置が内蔵されていると、空気の循環が良くなって車両内の空調効果を高めることができる。したがって、既設のエアコンの容量を小さくすることができて、車両の軽量化や車両内居住性の向上を図ることもできる。
第２の発明に係る車両用シートによれば、アームレストを肘掛け位置あるいは格納位置に位置させるように移動させるだけで、送風される個所を着座者の前面あるいは背面の何れかに切替えることができて、着座者にとって快適なものとすることができる。
【００１９】
第３の発明に係る車両用シートによれば、送風装置にて送風される空気を所望の温度とすることができ、快適な風を着座者に送ることができる。
第４の発明に係る車両用シートによれば、熱電素子にて、送風される空気の温度を所望の温度とすることができ、この所望の温度とした空気のみを第１導風路により着座者に向けた排気用開口部に導くことができ、これによって、送風される空気の温度を快適な温度に設定することができ、快適な風を着座者に送ることができる。
第５の発明に係る車両用シートによれば、着座者は、極性調節手段にて熱電素子の印加極性および印加電圧を変化させることにより、冷風あるいは暖風を選択することができ、さらに冷風あるいは暖風の温度設定をすることができ、これによって、送風される空気の温度を快適な温度に設定することができ、快適な風を着座者に送ることができる。
第６の発明に係る車両用シートによれば、電気式加熱器にて送風の温度を暖かくすることができ、冬季において、着座者にとって快適なものとすることができる。
【発明を実施するための最良の形態】
【００２０】
［第１の実施の形態］
以下、本発明を実施するための最良の形態について、図面を参照しながら説明する。
図１は、実施の形態となる車両用シート１０の前方斜視図である。図２は、図１に示すシートバック１２のＫ−Ｋ断面矢視図である。図３（Ａ）は、図１に示すアームレスト２０の拡大斜視図である。図３（Ｂ）は、図３（Ａ）に示すアームレスト２０のＬ−Ｌ断面矢視図である。
なお、後において詳述するが、図１の実線にて示すアームレスト２０は、肘掛け状態のアームレスト２０であり、図１の仮想線にて示すアームレスト２０は、格納状態のアームレスト２０である。また、図２のアームレスト２０は、格納状態のアームレスト２０である。
【００２１】
車両用シート１０は、図１に示すように、車両に設置されるものであって、大略、シートクッション１１と、シートバック１２と、ヘッドレスト１３と、アームレスト２０とを備えて構成される。
なお、以下における「前」とは、車両運転時の着座位置に対応した状態の前であって、車両の前進方向と一致する。
【００２２】
シートクッション１１は、乗員が着座するものであり、適宜のクッション性能を有して構成される。
シートバック１２は、着座者の背もたれとなるものであって、図２に示すように、骨組みとして構成されるフレーム１２ａと、背面カバーとなるバックボード１２ｂと、弾性クッションとなるパッド１２ｃと、これを覆う表皮部材１２ｄとを備えて構成される。このシートバック１２には、後に説明するダクト３０が内蔵されるとともに、前面に、このダクト３０と連通される２つ噴出し口１２ｅが設けられている。
ヘッドレスト１３は、着座者の頭もたれとなるものであって、特に図示しないが、適宜のパッドと支持用のステーとを備えて構成される。
【００２３】
アームレスト２０は、着座者の肘掛けとなるものであって、着座者に向けて送風する送風装置２２が内蔵され、且つ配設位置状態を変えられるように可動に構成されている。
具体的には、アームレスト２０は、図１および図３に示すように、大略、外形を形成するフレーム２１と、このフレーム２１に固定支持されて設置される送風装置２２と、このフレーム２１の表皮を形成する表皮部材２３とを備えて構成される。
【００２４】
フレーム２１は、略矩形状に形成されるものであって、この形状を保持する骨組みとなっている。このフレーム２１には、吸気用開口部２１ａと、排気用開口部２１ｂが設けられている。吸気用開口部２１ａは、フレーム２１内に設置される送風装置２２にて吸気されるように外部と連通させる開口部であり、排気用開口部２１ｂは、フレーム２１内に設置される送風装置２２にて排気されるように外部と連通させる送風口としての開口部である。なお、この排気用開口部２１ｂは、後に説明するダクト３０の吸入口３１に合致する開口形状を有している。
【００２５】
このアームレスト２０を構成するフレーム２１のうち、シートバック１２に隣接する個所においては、特に図示しないが、シートバック１２のフレーム１２ａに軸支連結されて回転可能に取り付けられている。このようにして、アームレスト２０のフレーム２１は、シートバック１２に対して回転可能な状態となっている。つまり、アームレスト２０は、図１に示すように、配設位置状態を変えるように、肘掛け状態となる肘掛け位置（図示実線）と、格納状態となる格納位置（図示仮想線）との間を、回転するように移動できるものとなっている。また、このようにアームレスト２０の配設位置状態を変えることに伴って、送風装置２２からの送風を排する排気用開口部２１ｂの位置状態も変えるようになっている。
【００２６】
なお、アームレスト２０の肘掛け状態とは、着座者がアームレスト２０に肘や腕をかけて休める肘掛けとして機能していることを意味している。これに対し、アームレスト２０の格納状態とは、アームレスト２０が、このような肘掛けとして機能せず、邪魔とならない状態となっていることを意味している。また、この格納位置に位置した場合には、上記した排気用開口部２１ｂが、ダクト３０の吸入口３１と合致するようになっている。
【００２７】
送風装置２２は、図２および図３に示すように、軸流ファンにより構成されるものである。すなわち、送風装置２２は、一般的な軸流ファンと同様、プロペラ形の羽根車を備えるものであって、その回転軸方向に空気を送るように構成されている。なお、この送風装置２２は、上記吸気用開口部２１ａから吸気し、この吸気した空気を送風するように上記排気用開口部２１ｂから排気する。
【００２８】
次に、上記シートバック１２に内蔵されるダクト３０について説明する。ダクト３０は、上記送風装置２２が格納状態となる格納位置に位置した場合に、この送風装置２２から送風される空気を搬送する通路となるものである。このダクト３０は、上記シートバック１２を構成するパッド１２ｃ内にインサートされるように、パッド１２ｃの形状に合わせるように形成されており、１つの吸入口３１と、２つの吐出口３２とを具備している。
【００２９】
具体的には、ダクト３０の材料としては、パッド１２ｃの弾性変形に追従するように弾性変形可能な樹脂材料が選択されており、適宜の湾曲形状を有している。
このダクト３０の吸入口３１は、シートバック１２の上記アームレスト２０の設置側に配置されている。このダクト３０の吐出口３２は、シートバック１２の前面側に配置されている。
【００３０】
ダクト３０の吸入口３１は、図２に示すように、アームレスト２０の排気用開口部２１ｂと合致する開口形状を有して形成されており、アームレスト２０を格納位置に位置させた場合に、内蔵される送風装置２２から送られる空気を、漏れなくダクト３０内に導くようになっている。
ダクト３０の吐出口３２は、図１に示すように、シートバック１２の前面に設けられた噴出し口１２ｅと連通状態とするものであり、噴出し口１２ｅと合致する位置に配置されている。
【００３１】
このように構成された車両用シート１０は、次のような作用効果を奏することができる。図４は、アームレスト２０が肘掛け状態となる肘掛け位置に位置している場合の、車両用シート１０の前方斜視図である。図５は、アームレスト２０が格納状態となる格納位置に位置している場合の、車両用シート１０の前方斜視図である。なお、図４および図５における仮想線にて示す符号Ｐは、この車両用シート１０に着座している着座者である。
【００３２】
すなわち、図４に示すように、アームレスト２０が肘掛け位置に位置している場合には、送風装置２２（図３参照）にて発生された風を、着座者Ｐの膝元から腿にかけて送ることができる。また、このアームレスト２０は、図５に示す格納位置に向かって回転移動させることができるので、着座者Ｐの暑さの感じ方等に応じて送風されたい個所に応じたアームレスト２０の位置を、着座者Ｐの任意で変更することができるものとなっている。
【００３３】
また、図５に示すように、アームレスト２０が格納位置に位置している場合には、送風装置２２（図２参照）にて発生された風を、排気用開口部２１ｂを介してダクト３０の吸入口３１に送り、さらにダクト３０内と通過させ、吐出口３２を介してシートバック１２の前面に設けられた噴出し口１２ｅから噴き出させることができる。
【００３４】
このように、この車両用シート１０によれば、着座者Ｐの肘掛けとなるアームレスト２０を備え、アームレスト２０は、着座者Ｐに向けて送風する送風装置２２が内蔵され、且つ配設位置状態を変えられるように可動に構成されており、アームレスト２０の配設位置状態を変えることに伴って、送風装置２２からの送風を排する排気用開口部２１ｂの位置状態も変える構成とされているので、着座者Ｐは、送風装置２２による送風により冷涼感を味わうことができる上、アームレスト２０を動かすことにより排気用開口部２１ｂの位置状態も変えることができる。つまり、着座者Ｐは、送風される個所を、着座者の任意で変更することができる。
【００３５】
これによって、着座者Ｐの暑さの感じ方等に応じて、送風される個所を変更したい場合であっても、着座者Ｐの意思で適宜変更することができて、着座者Ｐにとって快適なものとすることができる。また、このように、アームレスト２０に着座者Ｐに向けて送風する送風装置２２が内蔵されていると、空気の循環が良くなって車両内の空調効果を高めることができる。したがって、既設のエアコンの容量を小さくすることができて、車両の軽量化や車両内居住性の向上を図ることもできる。
【００３６】
また、この車両用シート１０によれば、アームレスト２０は、肘掛け状態となる肘掛け位置のほか、格納状態となる格納位置を有し、アームレスト２０を格納位置に位置させた場合には、アームレスト２０に設けられた排気用開口部２１ｂは、シートバック１２に内蔵されたダクト３０の吸入口３１に接続され、送風装置２２にて送られる風を、吸入口３１を介してダクト３０内に送って、吐出口３２を介してシートバック１２の前面に設けられた噴出し口１２ｅから噴き出させることができるので、着座者Ｐは、胴体前面側あるいは胴体背面側の何れかの方向から送風されるかを選択することができる。
【００３７】
つまり、着座者Ｐは、アームレスト２０を、肘掛けとして肘掛け位置に位置させた場合には、上記送風装置２２による風を、肘掛け位置から着座者Ｐの胴体前面側に送ることができ、着座者Ｐは、胴体前面側を冷却することにより冷涼感を味わうことができる。
さらに、着座者Ｐは、アームレスト２０を、格納するように格納位置に位置させた場合には、上記送風装置２２による風を、ダクト３０を介してシートバック１２の噴出し口１２ｅから着座者Ｐの胴体背面側に送ることができ、着座者Ｐは、胴体背面側を冷却することにより冷涼感を味わうことができる。
【００３８】
これによって、アームレスト２０を、肘掛け位置あるいは格納位置に位置させるように移動させるだけで、送風して冷却する個所を、着座者Ｐの前面あるいは背面の何れかに切替えることができて、着座者Ｐにとって快適なものとすることができる。
【００３９】
［第２の実施の形態］
ここで、上記したアームレスト２０に内蔵される送風装置２２は、次のように構成されるものであってもよい。図６（Ａ）は、他の構成例となる送風装置２６を備えたアームレスト２５の拡大斜視図である。図６（Ｂ）は、図６（Ａ）に示すアームレスト２５のＭ−Ｍ断面矢視図である。なお、上記したアームレスト２０と同様に構成される個所については、同一の符号を付して説明を省略する。
アームレスト２５に内蔵される送風装置２６は、図６に示すように、風を発生させるシロッコファン２７と、この発生した風を排気用開口部２１ｂに導く案内ダクト２８とを備えて構成されるものである。
【００４０】
このようにアームレスト２５に内蔵される送風装置２６を、シロッコファン２７を備えて構成した場合には、上記した軸流ファンを備えて構成される送風装置２２よりも、吸気するスペースを削減することができるので、アームレスト２５の幅を小さくすることができる点で有利である。また、シロッコファン２７は、軸流ファンよりも回転音が小さくなるので、静音性にも優れたものとなる。
【００４１】
［第３の実施の形態］
上記第２の実施の形態における送風装置２６は、次のように構成されるものであってもよい。図７（Ａ）は、他の構成例となる送風装置４１を備えたアームレスト４０の拡大斜視図である。図７（Ｂ）は、図７（Ａ）に示すアームレスト４０のＮ−Ｎ断面矢視図である。なお、上記したアームレスト２０と同様に構成される個所については、同一の符号を付して説明を省略する。
【００４２】
アームレスト４０に内蔵される送風装置４１は、図７に示すように、上記第２の実施の形態にて説明した送風装置２６と同様、風を発生させるシロッコファン４２と、この発生した風を排気用開口部２１ｂに導く案内ダクト４３とを備えて構成される。また、アームレスト４０の吸気用開口部２１ａと排気用開口部２１ｂとの間に配される案内ダクト４３内には、送風装置４１にて吸気された空気と熱交換を行う熱交換器が設置されている。この熱交換器は、熱電素子となるペルチェ素子４５で構成されている。
【００４３】
ペルチェ素子４５は、送風装置４１にて吸気された空気を着座者に噴き当てる空気として熱交換する着座者側熱交換部４６と、着座者側熱交換部４６に相関して発生する廃棄熱を送風装置４１にて吸気された空気と熱交換させる廃棄側熱交換部４７とを具備するものである。また、アームレスト４０前面には、このペルチェ素子４５への印加極性および印加電圧を調節変化させる、極性調節手段としての調節ダイアル５１が設置されている。
【００４４】
つまり、このペルチェ素子４５の印加極性および印加電圧は、調節ダイアル５１を操作することにより調節変更できるようになっている。例えば、調節ダイアル５１を操作することにより、ペルチェ素子４５の着座者側熱交換部４６側の印加極性を正とした場合には、着座者側熱交換部４６は冷却状態となり、これとは反対に廃棄側熱交換部４７は発熱した状態となる。また、調節ダイアル５１を操作することにより、ペルチェ素子４５の着座者側熱交換部４６の印加極性を負とした場合には、着座者側熱交換部４６は加熱状態となり、これとは反対に廃棄側熱交換部４７は冷えた状態となる。
さらに、上記調節ダイアル５１を操作することにより、ペルチェ素子４５の印加電圧も調節変更できるようになっており、ペルチェ素子４５の印加電圧を調節変更した場合には、これに依存して、ペルチェ素子４５の冷却強度および加熱強度は、調節変更されるようになっている。
【００４５】
また、アームレスト４０の案内ダクト４３には、図７に示すように、仕切り壁部４４およびペルチェ素子４５により区分けするように仕切られた、第１導風路４８と、第２導風路４９とが設けられている。
具体的には、第１導風路４８は、送風装置４１にて吸気された空気を着座者側熱交換部４６と熱交換させて排気用開口部２１ｂに導くものである。また、第２導風路４９は、送風装置４１にて吸気された空気を廃棄側熱交換部４７と熱交換させて排気用開口部２１ｂとは別の廃棄熱用開口部５０に導くものであり、アームレスト４０の下面に向かって延びるように形成されている。
【００４６】
このようにアームレスト４０に内蔵される送風装置４１を構成した場合には、アームレスト４０の案内ダクト４３に、着座者に噴き当てる空気として熱交換する着座者側熱交換部４６と、着座者側熱交換部４６に相関して発生する廃棄熱を熱交換させる廃棄側熱交換部４７とを具備するペルチェ素子４５が熱交換器として内蔵され、送風装置４１にて吸気された空気を着座者側熱交換部４６と熱交換させて排気用開口部２１ｂに導く第１導風路４８と、送風装置４１にて吸気された空気を廃棄側熱交換部４７と熱交換させて排気用開口部２１ｂとは別の廃棄熱用開口部５０に導く第２導風路４９とが設けられているので、ペルチェ素子４５にて、送風される空気の温度を所望の温度とすることができ、この所望の温度とした空気のみを第１導風路により着座者に向けた排気用開口部に導くことができる。
【００４７】
さらに、このようにアームレスト４０に内蔵される送風装置４１を構成した場合には、ペルチェ素子４５への印加極性および印加電圧を変化させる調節ダイアル５１が設けられているので、着座者は、この調節ダイアル５１を操作することにより、ペルチェ素子４５の印加極性および印加電圧を変化させ、送風される空気の温度を所望の温度とすることができる。具体的には、着座者は、調節ダイアル５１にてペルチェ素子４５の印加極性を変化させることにより、冷風あるいは暖風を選択することができ、さらに、調節ダイアル５１にてペルチェ素子４５の印加電圧を変化させることにより、ペルチェ素子４５の冷却強度あるいは加熱強度を変化させて、冷風あるいは暖風の温度を所望温度に設定することができ、四季を通じて快適な風を着座者に送ることができる。
【００４８】
［第４の実施の形態］
次に、上記第３の実施の形態とは異なる熱交換器を配した例について説明する。
図８は、図６（Ｂ）の変更例である。すなわち、案内ダクト２８内には、送風装置４１にて吸気された空気と熱交換を行う、熱交換器としての電気式加熱器５６が設置されている。なお、この第４の実施の形態における案内ダクト２８は、上記第２の実施の形態と同様に構成されるものであり、上記第３の実施の形態のような廃棄熱用開口部５０に導く第２導風路４９は存しないものとなっている。
具体的には、電気式加熱器５６は、ヒータとして広く用いられる加熱用のニクロム線で構成されている。
【００４９】
このように案内ダクト２８内に電気式加熱器５６を配した場合には、電気式加熱器５６にて送風の温度を暖かくすることができ、冬季において、着座者にとって快適なものとすることができる。
なお、この電気式加熱器５６にあっても、上記第３の実施の形態のように、電気式加熱器５６の印加電圧を調節変化させる調節ダイアルが、別途設けられるものであってもよい。
【００５０】
なお、本発明に係る車両用シートにあっては、上記した実施の形態に限定されるものではなく、本発明の要旨を変更しない範囲で適宜に変更することができる。
例えば、上記実施の形態の車両用シート１０にあっては、アームレストがシートバックの片側に１つだけ設けられた構成を、例に挙げて説明するものであった。しかしながら、本発明に係る車両用シートは、これに限定されることなく、アームレストがシートバックの両側に１つずつ設けられるようにし、その両側のアームレストのそれぞれが上記したように構成されるものであってもよい。
【００５１】
また、上記実施の形態の車両用シート１０にあっては、アームレストの配設位置状態を変えられるような可動な構成例として、回転可能な軸支連結された構成を挙げたが、配設位置状態を変えられるような可動な構成としては、このような回転可能な軸支連結された構成に限定されることなく、例えば、スライド移動可能にガイド連結された構成が採用されるものであってもよい。
【００５２】
また、上記実施の形態の車両用シート１０にあっては、アームレストに内蔵される送風装置の例として、軸流ファンあるいはシロッコファンが備えられた構成を挙げたが、風を発生させる送風機としては、このようなファンに限定されることなく、吐出し圧力と吸込圧力の比が高くされたブロアで構成されるものであってもよい。
【００５３】
また、上記実施の形態の車両用シート１０にあっては、シートバックに内蔵されるダクトの例として、２つの吐出口を具備した構成を挙げたが、シートバックに内蔵されるダクトとしては、このようなダクトに限定されることなく、例えば、１つあるいは多数の吐出口を具備して構成されるものであってもよい。また、噴出し口の位置や数も、上記のような例に限定されることなく、適宜の位置や数を選択することができる。
【００５４】
また、上記実施の形態の車両用シート１０にあっては、アームレストを格納位置に位置させた場合には、アームレスト２０の排気用開口部２１ｂが、ダクト３０の吸入口３１に上手く合致すように、互いに係合する雄雌形状のそれぞれが、これら排気用開口部２１ｂおよび吸入口３１のそれぞれの周辺個所に設けられるものであってもよい。
【００５５】
また、上記実施の形態における案内ダクト２８，４３の形状としては、上記の形状に限定されることなく、発生した風を排気用開口部２１ｂに導くように構成された適宜の形状を選択することができる。
また、上記実施の形態におけるペルチェ素子４５への印加極性および印加電圧を調節変化させる調節ダイアル５１は、アームレスト４０前面に設置されるものとなっていたが、
本発明に係る極性調節手段の設置例としては、このような例に限定されることなく、例えば、車両用シートの脇に設置されたコンソールボックス等に設置されるものであってもよい。
【図面の簡単な説明】
【００５６】
【図１】実施の形態となる車両用シートの前方斜視図である。
【図２】図１に示すシートバックのＫ−Ｋ断面矢視図である。
【図３】図１に示すアームレストの拡大斜視図および拡大断面図である。
【図４】アームレストが肘掛け状態となる肘掛け位置に位置している場合の、車両用シートの前方斜視図である。
【図５】アームレストが格納状態となる格納位置に位置している場合の、車両用シートの前方斜視図である。
【図６】第２の実施の形態における送風装置を備えたアームレストの拡大斜視図および拡大断面図である。
【図７】第３の実施の形態における送風装置を備えたアームレストの拡大斜視図および拡大断面図である。
【図８】第４の実施の形態における送風装置を備えたアームレストの拡大断面図である。
【符号の説明】
【００５７】
１０  車両用シート
１１  シートクッション
１２  シートバック
１２ｅ  噴出し口
１３  ヘッドレスト
２０，２５，４０  アームレスト
２１ａ  吸気用開口部
２１ｂ  排気用開口部（送風口）
２２，２６，４１  送風装置
２７，４２  シロッコファン
２８，４３  案内ダクト
３０  ダクト
３１  吸入口
３２  吐出口
４５  ペルチェ素子（熱電素子，熱交換器）
４６  着座者側熱交換部
４７  廃棄側熱交換部
４８  第１導風路
４９  第２導風路
５０  廃棄熱用開口部
５１  調節ダイアル（極性調節手段）
５６  電気式加熱器
Ｐ  着座者
【図１】
2010006174.tif 000003
【図２】
2010006174.tif 000004
【図３】
2010006174.tif 000005
【図４】
2010006174.tif 000006
【図５】
2010006174.tif 000007
【図６】
2010006174.tif 000008
【図７】
2010006174.tif 000009
【図８】
2010006174.tif 000010